(57)【要約】【課題】上部開放構造を有するフレーム部材により基体が構成されたキャリッジが加減速動作を行う際の、前記フレーム部材の歪みを効果的に防止して、もって記録品質の低下を防止する。【解決手段】サブキャリッジ１７は、記録ヘッドを含むアセンブリユニット２５を取り付けた際に記録ヘッドのヘッド面を露呈させる開口部が形成された底部フレーム部１９と、その両側に立設される右サイドフレーム部２０及び左サイドフレーム部２１と、を備えた上部開放構造を有するサブキャリッジフレーム１８により基体が構成される。右サイドフレーム部２０の上端部とアセンブリユニット２５、及び左サイドフレーム部２１の上端部とアセンブリユニット２５、がそれぞれ接続されており、上部開放構造を有するサブキャリッジフレーム１８とアセンブリユニット２５とによって箱形構造が構築される。【選択図】図３
2009160894.tif 000002
【特許請求の範囲】
【請求項１】
被記録媒体に記録を行う記録ヘッドと、
前記記録ヘッドを備えるとともに前記記録ヘッドの走査方向に移動可能に設けられるキャリッジと、を備えた記録装置であって、
前記キャリッジの基体を構成するキャリッジフレームが、前記記録ヘッドを含むアセンブリユニットを取り付けた際に前記記録ヘッドのヘッド面を露呈させる開口部が形成された底部フレーム部と、当該底部フレーム部の両側に立設される右サイドフレーム部及び左サイドフレーム部と、を備えた上部開放構造を有しており、
前記アセンブリユニットの左右に位置する前記右サイドフレーム部及び前記左サイドフレーム部が、それぞれ前記アセンブリユニットと接続固定されている、
ことを特徴とする記録装置。
【請求項２】
請求項１に記載の記録装置において、前記アセンブリユニットが前記底部フレーム部に固定されるとともに、前記右サイドフレーム部と前記アセンブリユニットとの接続部、及び前記左サイドフレーム部と前記アセンブリユニットとの接続部が、可撓性を有する材料により形成されている、
ことを特徴とする記録装置。
【請求項３】
請求項１または２に記載の記録装置において、前記右サイドフレーム部と前記アセンブリユニットとの接続手段、及び前記左サイドフレーム部と前記アセンブリユニットとの接続手段は、接続用ねじと、当該接続用ねじを遊挿する長孔が形成された接続材料と、を備えて構成されていることを特徴とする記録装置。
【発明の詳細な説明】
【技術分野】
【０００１】
本発明は、被記録媒体に記録を行う記録ヘッドを備えるとともに前記記録ヘッドの走査方向に移動可能に設けられるキャリッジを備えた記録装置に関する。
【背景技術】
【０００２】
記録装置の一例としてのインクジェットプリンタ（以下「プリンタ」と略称する）は、インクを吐出するインクジェット記録ヘッド（以下「記録ヘッド」と略称する）をキャリッジの底部に備えている。キャリッジは略箱形の形状をなし、記録ヘッドの走査方向（以下「主走査方向」と言う）に延びるガイド軸にガイドされながら、記録データに従って主走査方向への移動動作を行う。キャリッジ構造の一例を示すものとして、特許文献１には、ガイド軸にガイドされるメインキャリッジと、このメインキャリッジと接続される、上部開放構造を有するサブキャリッジと、を備えて構成されたキャリッジが示されている。
【特許文献１】特開２００７−２７６２８９号公報
【発明の開示】
【発明が解決しようとする課題】
【０００３】
以下、従来技術の問題点を図６及び図７を参照しながら説明する。図６は従来技術に係るキャリッジ１５０の斜視図、図７は同正面図である。  
図６及び図７に示す様にキャリッジ１５０はメインキャリッジ１６０とサブキャリッジ１７０とを備えて構成され、キャリッジ本体にインクカートリッジを搭載せず、キャリッジから独立して配置されたインクタンク（図示せず）から、インクチューブ（図示せず）を介して記録ヘッドへとインクが供給される構成を備えている。
【０００４】
メインキャリッジ１６０は主走査方向に延びる第１ガイド軸１１０と第２ガイド軸１２０とによって主走査方向にガイドされるとともに図示しない駆動手段の動力を受けて主走査方向に移動する。
【０００５】
サブキャリッジ１７０はメインキャリッジ１６０と接続固定され、その基体を構成するサブキャリッジフレーム１８０にアセンブリユニット２５０が固定されている。アセンブリユニット２５０は、記録ヘッドを含むヘッドＡｓｓｙ２６０、インクセレクタ２９０、集合流路部２８０、インクインレット２７０、自己封止弁３００、のこれらがアセンブリされたユニット体（重量物）である。尚、アセンブリユニット２５０を構成するこれら構成要素についての説明は、ここでは省略する。
【０００６】
サブキャリッジフレーム１８０は、底部フレーム部１９０と、当該底部フレーム部１９０の両側に立設される右サイドフレーム部２００及び左サイドフレーム部２１０と、を備えており、上部が符号１８０ａで示すように開放構造となっている。特許文献１記載のサブキャリッジも同様な構造のフレームを備えているが、この様に上部開放構造とするのは、サブキャリッジフレーム１８０に対しアセンブリユニット２５０を取り付ける際の作業の容易性や部材の低コスト化などを担保するためである。
【０００７】
ここで、この様に構成されたサブキャリッジ１７０においてアセンブリユニット２５０は、底部フレーム部１９０に固定ねじ３５０により固定されている。しかしながらアセンブリユニット２５０は重量物である為、キャリッジ１５０の加減速動作時において大きな慣性力が生じ、これが底部フレーム部１９０を介してサブキャリッジフレーム１８０に歪みを生じさせて、記録ヘッドから吐出されるインクの着弾精度を低下させる虞がある。
【０００８】
そこで本発明はこの様な状況に鑑み成されたものであり、その目的は、上部開放構造を有するフレーム部材により基体が構成されたキャリッジが加減速動作を行う際の、前記フレーム部材の歪みを効果的に防止して、もって記録品質の低下を防止することにある。
【課題を解決するための手段】
【０００９】
上記課題を解決するために、本発明の第１の態様は、被記録媒体に記録を行う記録ヘッドと、前記記録ヘッドを備えるとともに前記記録ヘッドの走査方向に移動可能に設けられるキャリッジと、を備えた記録装置であって、前記キャリッジの基体を構成するキャリッジフレームが、前記記録ヘッドを含むアセンブリユニットを取り付けた際に前記記録ヘッドのヘッド面を露呈させる開口部が形成された底部フレーム部と、当該底部フレーム部の両側に立設される右サイドフレーム部及び左サイドフレーム部と、を備えた上部開放構造を有しており、前記アセンブリユニットの左右に位置する前記右サイドフレーム部及び前記左サイドフレーム部が、それぞれ前記アセンブリユニットと接続固定されていることを特徴とする。
【００１０】
本態様によれば、上部開放構造を有するキャリッジフレームにおいて、前記アセンブリユニットの左右に位置する前記右サイドフレーム部及び前記左サイドフレーム部が、それぞれ前記アセンブリユニットと接続固定されているので、上部開放構造を有するキャリッジフレームとアセンブリユニットとによって箱形構造が構築される。従ってキャリッジフレームの剛性が向上し、これによりキャリッジが加減速動作を行う際のキャリッジフレームの歪みが効果的に防止され、もって記録品質の低下を防止することができる。加えてキャリッジフレームの肉厚を増やしたり、材料を変更したりすることなく、低コストに当該キャリッジフレームの剛性を向上できる。
【００１１】
本発明の第２の態様は、第１の態様に係る記録装置において、前記アセンブリユニットが前記底部フレーム部に固定されるとともに、前記右サイドフレーム部と前記アセンブリユニットとの接続部、及び前記左サイドフレーム部と前記アセンブリユニットとの接続部が、可撓性を有する材料により形成されていることを特徴とする。
【００１２】
本態様によれば、前記アセンブリユニットを前記底部フレーム部に固定することで、当該アセンブリユニットのキャリッジフレームへの取り付け固定が担保されるとともに、左右両サイドフレーム部とアセンブリユニットとの接続部が可撓性を有する材料により形成されていることから、部材の寸法誤差によりキャリッジフレーム全体の形状に歪みを生じさせることなく、左右両サイドフレーム部とアセンブリユニットとを接続することができる。
【００１３】
本発明の第３の態様は、第１のまたは第２の態様に係る記録装置において、前記右サイドフレーム部と前記アセンブリユニットとの接続手段、及び前記左サイドフレーム部と前記アセンブリユニットとの接続手段は、接続用ねじと、当該接続用ねじを遊挿する長孔が形成された接続材料と、を備えて構成されていることを特徴とする。
【００１４】
本態様によれば、左右両サイドフレーム部とアセンブリユニットとを接続する接続手段が、接続用ねじと、当該接続用ねじを遊挿する長孔が形成された接続材料と、を備えて構成されているので、部材の寸法誤差を前記長孔で吸収することができ、従ってキャリッジフレーム全体の形状に歪みを生じさせることなく、左右両サイドフレーム部の上端部とアセンブリユニットとを接続することができる。
【発明を実施するための最良の形態】
【００１５】
以下、図１乃至図５を参照しながら本発明の実施形態について説明する。図１は本発明に係る「記録装置」の一実施形態としてのインクジェットプリンタ（以下「プリンタ」と言う）１の外観斜視図、図２は本発明の一実施形態に係るキャリッジ１５の斜視図、図３及び図４は本発明の一実施形態に係るキャリッジ１５の構成を簡略化して示すものであり図３は斜視図、図４は正面図である。また図５はサブキャリッジフレーム１８の斜視図である。
【００１６】
図１に示すプリンタ１は、例えばＪＩＳ規格のＡ０判やＢ０判などといった大型サイズの幅を有する被記録媒体としてのロール紙Ｐにまで記録できる大型プリンタであり、ロール紙供給部３及び記録実行部４を備えた本体部２と、排紙受け部５とを備えて構成されている。
【００１７】
本体部２はベース９に立設された支柱８の上部に設けられており、記録の行われたロール紙Ｐを斜め下方に排出する排出口６を有している。排出口６の下方にはスタッカ１０の開口部７が位置しており、記録の行われたロール紙Ｐが排出口６から開口部７へ向けて排出され、スタッカ１０によって受け止められる。
【００１８】
ロール紙供給部３にはロール紙ロール（以下「ロール」と言う）Ｒが収納可能に構成され、ロールＲからロール紙Ｐが繰り出され、記録を実行するエリアに向けて斜め下方に供給される。ロールＲは図示を省略するロール紙ホルダにセットされ、ロール紙供給時には当該ロール紙ホルダが図示を省略する駆動機構により回転駆動されることにより、ロール紙Ｐが下流側に供給される。
【００１９】
ロール紙Ｐの供給先である記録実行部４には図示を省略する用紙搬送手段が設けられており、この用紙搬送手段によってロール紙Ｐが記録ヘッドの側へと精密送りされる。図１において符号１１、１２はそれぞれ記録ヘッドの走査方向（主走査方向）に延びる第１ガイド軸、第２ガイド軸を示しており、記録実行部４を構成する記録ヘッド２６ａ（図４）を搭載するキャリッジ１５は、これら第１ガイド軸１１と第２ガイド軸１２によりガイドされながら、図示しないモータの動力により主走査方向に駆動される。
【００２０】
以上がプリンタ１の大略構成であり、以下図２乃至図５を参照しながらキャリッジ１５について詳説する。本発明の一実施形態に係るキャリッジ１５はインクカートリッジを搭載しない所謂オフキャリッジタイプであり、キャリッジ１５から独立して配置されるインクタンク（図示せず）からインクチューブ（図示せず）を介してインクが供給されるようになっている。
【００２１】
キャリッジ１５はメインキャリッジ１６とサブキャリッジ１７とを備えて構成され、メインキャリッジ１６は主走査方向に延びる第１ガイド軸１１と第２ガイド軸１２とによって主走査方向にガイドされるとともに図示しないモータの動力を受けて主走査方向に移動するよう構成されている。
【００２２】
サブキャリッジ１７はメインキャリッジ１６と接続固定され、その基体を構成するサブキャリッジフレーム１８にアセンブリユニット２５が固定されている。アセンブリユニット２５は、記録ヘッド２６ａを含むヘッドＡｓｓｙ２６、インクセレクタ２９（図２では符号２９Ａ、２９Ｂで示す）、集合流路部２８、インクインレット２７（図２では符号２７Ａ、２７Ｂで示す）、自己封止弁３０（図２では符号３０Ａ、３０Ｂで示す）、のこれらがアセンブリされたユニット体（重量物）である。
【００２３】
本実施形態に係るキャリッジ１５は、２組の記録ヘッドを備えており、これにより図２においてはそれぞれ２組のインクインレット２７（２７Ａ、２７Ｂ）、インクセレクタ２９（２９Ａ、２９Ｂ）、自己封止弁３０（３０Ａ、３０Ｂ）が示されている。しかしながら図６及び図７に示した従来技術に係るキャリッジ１５０との対比の容易の為、以下では本実施形態に係るキャリッジ１５についても１組の記録ヘッドを備えるものとして、構成を簡略化して示す図３乃至図５を参照しながら説明することとする。尚、本発明の一実施形態を示す図３、図４は、従来技術を示す図６、図７にそれぞれ対応している。
【００２４】
アセンブリユニット２５を構成するインクインレット２７は、インクの取り入れ口であり、キャリッジ１５から独立配置された複数の色毎のインクタンク（図示せず）から延びる複数本のインクチューブ（図示せず）が、インクインレット２７に接続される。インクインレット２７から取り入れられたインクは、集合流路部２８の内部に形成された流路を通り、一部の色のインクはインクセレクタ２９を介して自己封止弁３０へ導かれ、他の色のインクはそのまま自己封止弁３０へと導かれる。
【００２５】
ここで本実施形態に係るプリンタ１では、記録用紙の種類に応じて２種類の黒インク（例えば、染料系の黒インクと顔料系の黒インク）を使い分けるようになっている。インクセレクタ２９は、記録ヘッド２６ａへ供給する黒インクを選択するためのものであり、このため種類の異なる黒インクは、インクセレクタ２９を経由し、記録を行う際に用いるべきインクとして選択された後に自己封止弁３０へと導かれる。自己封止弁３０は、インクタンク（図示せず）からポンプ（図示せず）の圧力によって供給されるインクの圧力を減圧調整した後に、記録ヘッド２６ａへとインクを供給する。
【００２６】
ヘッドＡｓｓｙ２６は記録ヘッド２６ａを含むアセンブリユニットであり、取付プレート２６ｂを備え、当該取付プレート２６ｂがサブキャリッジフレーム１８に固定ねじ３５により固定されることで、アセンブリユニット２５全体がサブキャリッジフレーム１８に対して固定されるようになっている。
【００２７】
サブキャリッジフレーム１８は、底部フレーム部１９と、当該底部フレーム部１９の両側に立設される右サイドフレーム部２０及び左サイドフレーム部２１と、を備えており、金属板材の折り曲げ加工によって全体が一体的に形成されていて、フレーム単体ではその上部が図５に示すように開放構造となっている。
【００２８】
底部フレーム部１９には図５に示すように記録ヘッド２６ａをフレーム下方に突出（露呈）させる窓孔（開口部）１９ａが形成されており、その両側にはヘッドＡｓｓｙ２６の取付プレート２６ｂを固定ねじ３５で固定する為のねじ孔１９ｂ、１９ｂが形成されている。
【００２９】
右サイドフレーム部２０の上端部には舌片状の接続片２０ａが一体的に形成され、接続片２０ａには横方向に延びる長孔２０ｂが形成されている。同様に左サイドフレーム部２１の上端部にも、接続片２１ａと長孔２１ｂとが形成されている。
【００３０】
アセンブリユニット２５は上記の通り取付プレート２６ｂを介して底部フレーム部１９に固定されるが、上部の左右両側には舌片状の接続片２８ａ、２８ｂがそれぞれ形成されており、これにより図３及び図４に示すように右側の接続片２８ａが右サイドフレーム２０の上端部に形成された接続片２０ａと、また左側の接続片２８ｂが左サイドフレーム２１の上端部に形成された接続片２１ａと、それぞれ接続ねじ３６によって接続固定される様になっている。
【００３１】
これにより、以下のような作用効果が得られる。即ち、アセンブリユニット２５は底部フレーム部１９に固定ねじ３５により固定されるが、アセンブリユニット２５は重量物である為、キャリッジ１５の加減速動作時において大きな慣性力が生じ、これが底部フレーム部１９を介してサブキャリッジフレーム１８に歪みを生じさせて、記録ヘッド２６ａから吐出されるインクの着弾精度を低下させる虞がある。
【００３２】
しかしながら上記のようにアセンブリユニット２５の左右に位置する右サイドフレーム部２０及び左サイドフレーム部２１のそれぞれの上端部と、アセンブリユニット２５の上面部が接続固定されているので、上部開放構造を有するサブキャリッジフレーム１８とアセンブリユニット２５とによって箱形構造が構築される。従ってサブキャリッジフレーム１８の剛性が向上し、これによりキャリッジ１５が加減速動作を行う際のサブキャリッジフレーム１８の歪みが効果的に防止され、もって記録品質の低下を防止することができる。加えてサブキャリッジフレーム１８の肉厚を増やしたり、材料を変更したりすることなく、低コストに当該サブキャリッジフレーム１８の剛性を向上できる。
【００３３】
また、右サイドフレーム部２０の上端部とアセンブリユニット２５との接続手段、及び左サイドフレーム部２１の上端部とアセンブリユニット２５との接続手段は、接続用ねじ３６と、左右両サイドフレーム部上端部の接続片２０ａ、２１ａにそれぞれ形成された、接続用ねじ３６を遊挿する長孔２０ｂとを備えて構成されているので、前記長孔により部材の寸法誤差を吸収することができ、従って組立後にサブキャリッジフレーム１８全体の形状に歪みを生じさせることなく、左右両サイドフレーム部上端部とアセンブリユニット２５とを上部で接続することができる。
【００３４】
尚、左右両サイドフレーム部上端部の接続片２０ａ、２１ａを、可撓性を有する材料によって形成することでも、部材の寸法誤差を吸収することができ、同様にサブキャリッジフレーム１８全体の形状に歪みを生じさせることなく、左右両サイドフレーム部上端部とアセンブリユニット２５とを上部で接続して箱形構造を構築することができる。
【００３５】
以上説明した実施形態は一例であり、種々の変形が可能であることは言うまでも無い。例えば、本実施形態に係るキャリッジ１５はインクカートリッジを搭載しない所謂オフキャリッジタイプであるが、インクカートリッジを搭載しながら主走査方向に移動する所謂オンキャリッジタイプであっても構わない。また本実施形態に係るキャリッジ１５はメインキャリッジ１６とサブキャリッジ１７の２つの構造体により構成されるが、１つの構造体により構成されるキャリッジであっても構わない。その他、本実施形態に係るサブキャリッジフレーム１８に相当するフレーム部材があり、当該フレーム部材の左右側壁をアセンブリユニット２５に相当する構造体で接続して箱状体を形成するものであれば、どのようなものであっても構わない。
【図面の簡単な説明】
【００３６】
【図１】本発明に係るプリンタの外観斜視図。
【図２】本発明に係るキャリッジの斜視図。
【図３】本発明に係るキャリッジの構成を簡略化して示す斜視図。
【図４】本発明に係るキャリッジの構成を簡略化して示す正面図。
【図５】サブキャリッジフレームの斜視図。
【図６】従来技術に係るキャリッジの斜視図。
【図７】従来技術に係るキャリッジの正面図。
【符号の説明】
【００３７】
１  インクジェットプリンタ、２  本体部、３  ロール紙供給部、４  記録実行部、５  排紙受け部、６  ロール紙排出口、７  開口部、８  支柱、９  ベース、１０  ロール紙スタッカ、１１  第１ガイド軸、１２  第２ガイド軸、１５  キャリッジ、１６  メインキャリッジ、１７  サブキャリッジ、１８  サブキャリッジフレーム、１９  底部フレーム部、１９ａ  開口部、１９ｂ  ねじ孔、２０  右サイドフレーム部、２０ａ  接続片、２０ｂ  長孔、２１  左サイドフレーム部、２１ａ  接続片、２１ｂ  長孔、２５  アセンブリユニット、２６  ヘッドＡｓｓｙ、２６ａ  記録ヘッド、２７  インクインレット、２８  集合流路部、２９  インクセレクタ、３０  自己封止弁、３５  固定ねじ、３６  接続ねじ、Ｐ  ロール紙、Ｒ  ロール紙ロール
【図１】
2009160894.tif 000003
【図２】
2009160894.tif 000004
【図３】
2009160894.tif 000005
【図４】
2009160894.tif 000006
【図５】
2009160894.tif 000007
【図６】
2009160894.tif 000008
【図７】
2009160894.tif 000009